(57)【要約】【課題】コネクタの幅をより抑制することができるコンタクトを備えるコネクタを提供すること。【解決手段】コネクタ１００は、少なくとも一つのコンタクト２００と、コンタクト２００を保持する保持部材７００とを備えている。コンタクト２００は、第１支持部３００と、第２支持部３２０と、第１接点部３０２と、第２接点部３２２と、連結部４００とを有している。連結部４００は、上側主部４１０と、上側曲げ部４４０とを有している。上側主部４１０は、上側前方幅広部４１２と、上側前方幅狭部４１５と、上側基部４１７とを有している。上側前方幅広部４１２は、幅方向において移動できないように保持部材７００に固定されている。上側前方幅狭部４１５の第１方位に向いている縁は、第１支持部３００の第１縁部３０３と上側前方幅広部４１２との境界部分３０６よりも第２方位側に位置している。【選択図】図６
2018060668.tif 000002
【特許請求の範囲】
【請求項１】
前後方向に沿って相手側コネクタと嵌合可能なコネクタであって、
前記コネクタは、少なくとも一つのコンタクトと、前記コンタクトを保持する保持部材とを備えており、
前記コンタクトは、第１支持部と、第２支持部と、第１接点部と、第２接点部と、連結部とを有しており、
前記第１支持部及び前記第２支持部の夫々は、弾性変形可能であり、
前記第１接点部は、前記第１支持部に支持されており、
前記第２接点部は、前記第２支持部に支持されており、
前記第１接点部及び前記第２接点部の夫々は、前記前後方向と直交する上下方向に移動可能であり、
前記第１支持部は、前記前後方向及び前記上下方向の双方と直交する幅方向において第１縁部と第２縁部とを有しており、
前記第１縁部は、前記幅方向において第１方位に向いており、
前記第２縁部は、前記幅方向において第２方位に向いており、
前記第１方位及び前記第２方位は、互いに逆方位であり、
前記連結部は、前記第１支持部と前記第２支持部とを互いに連結しており、
前記連結部は、上側主部と、上側曲げ部とを有しており、
前記上側主部は、上側前方幅広部と、上側前方幅狭部と、上側基部とを有しており、
前記上側前方幅広部は、前記幅方向において移動できないように前記保持部材に固定されており、
前記第１支持部は、前記上側前方幅広部から前記前後方向において前方に延びており、
前記上側前方幅狭部は、前記前後方向において、前記上側前方幅広部と前記上側基部との間に位置しており、
前記上側前方幅狭部の前記第１方位に向いている縁は、前記第１支持部の前記第１縁部と前記上側前方幅広部との境界部分よりも前記第２方位側に位置しており、
前記上側曲げ部は、前記上側基部の前記第１方位に向いている縁から延びて曲がっている
コネクタ。
【請求項２】
請求項１記載のコネクタであって、
前記第１支持部は、前記上下方向よりも前記幅方向において大きなサイズを有しており、
前記上側主部は平板状の形状を有しており、
前記上側主部の前記上側前方幅広部は、前記幅方向に突出した圧入突起を有しており、
前記上側前方幅広部の前記第１方位側の端部は、前記上側曲げ部よりも前記第１方位側に位置している
コネクタ。
【請求項３】
請求項１又は請求項２記載のコネクタであって、
前記コンタクトは、上側後方幅広部と、上側後方幅狭部とを更に有しており、
前記上側後方幅広部は、前記前後方向において前記上側後方幅狭部の後方に位置しており、
前記上側後方幅広部は、前記幅方向において移動できないように前記保持部材に固定されており、
前記上側後方幅狭部は、前記前後方向において、前記上側基部と前記上側後方幅広部との間に位置しており、
前記上側後方幅狭部は、前記幅方向において前記上側後方幅広部よりも小さいサイズを有している
コネクタ。
【請求項４】
請求項３記載のコネクタであって、
前記上側後方幅広部の前記第１方位側の端部は、前記上側曲げ部よりも第１方位側に位置している
コネクタ。
【請求項５】
請求項１から請求項４までのいずれかに記載のコネクタであって、
前記上側主部の前記第２方位に向いている縁は直線状である
コネクタ。
【請求項６】
請求項１から請求項５までのいずれかに記載のコネクタであって、
前記第２支持部は、前記上下方向よりも前記幅方向において大きなサイズを有しており、
前記第２支持部は、前記上下方向において前記第１支持部の下側に位置しており、
前記連結部は、下側主部と、下側曲げ部とを更に有しており、
前記下側主部は、下側前方幅広部と、下側前方幅狭部と、下側基部とを有しており、
前記第２支持部は、前記下側前方幅広部から前後方向において前方に延びており、
前記下側前方幅狭部は、前記前後方向において、前記下側前方幅広部と前記下側基部との間に位置しており、
前記下側前方幅狭部は、前記幅方向において前記下側前方幅広部よりも小さいサイズを有しており、
前記下側前方幅狭部の前記第１方位に向いている縁は、前記第２支持部の前記第１方位に向いている縁と前記下側前方幅広部との境界部分よりも前記第２方位側に位置しており、
前記下側曲げ部は、前記下側基部の前記第１方位に向いている縁から延びて曲がっている
コネクタ。
【請求項７】
請求項６記載のコネクタであって、
前記連結部は、平板状の壁部を更に有しており、
前記壁部は、前記上側曲げ部と前記下側曲げ部とを互いに連結しており、
前記壁部は、前記幅方向と交差している
コネクタ。
【請求項８】
請求項１から請求項５までのいずれかに記載のコネクタであって、
前記第２支持部は、前記上下方向よりも前記幅方向において小さなサイズを有している
コネクタ。
【発明の詳細な説明】
【技術分野】
【０００１】
本発明は、コネクタの幅をより抑制することができるコンタクトを備えるコネクタに関する。
【背景技術】
【０００２】
図２７に示されるように、特許文献１には、嵌合方向（Ｘ方向）に沿って相手側コネクタ（図示せず）と嵌合可能なコネクタ９００が開示されている。コネクタ９００は、複数のコンタクト９１０と、保持部材９５０とを備えている。コンタクト９１０は、保持部材９５０に保持されている。図２８及び図２９に示されるように、コンタクト９１０は、第１接触片９２０と、第２接触片９３０と、第１接触部９２２と、第２接触部９３２と、連結部９４０とを備えている。第１接触片９２０と第２接触片９３０とは、上下方向（Ｚ方向）において並ぶように配置されている。第１接触部９２２は、第１接触片９２０の自由端付近に設けられている。第２接触部９３２は、第２接触片９３０の自由端付近に設けられている。連結部９４０は、２つの側壁９４２，９４４と、２つの曲げ部９４３，９４５と、壁部９４６とを有している。曲げ部９４３，９４５は、側壁９４２，９４４の幅方向（Ｙ方向）における一端から夫々延びて曲がっている。曲げ部９４３，９４５は、壁部９４６により互いに連結されている。第１接触片９２０は、側壁９４２から嵌合方向（Ｘ方向）に延びている。第２接触片９３０は、側壁９４４から嵌合方向（Ｘ方向）に延びている。
【先行技術文献】
【特許文献】
【０００３】
【特許文献１】特開２０１６−１１０９６６号公報
【発明の概要】
【発明が解決しようとする課題】
【０００４】
特許文献１のコンタクト９１０の幅方向のサイズは、連結部９４０のサイズにより決まっている。また、第１接触片９２０及び第２接触片９３０の幅方向のサイズも、連結部９４０のサイズにより決まっている。従って、第１接触片９２０及び第２接触片９３０の幅方向のサイズを大きく確保しながら、コンタクト９１０を備えるコネクタ９００の幅方向におけるサイズを抑制することはできない。
【０００５】
そこで本発明は、コネクタの幅をより抑制することができるコンタクトを備えるコネクタを提供することを目的とする。
【課題を解決するための手段】
【０００６】
本発明は、第１のコネクタとして、
前後方向に沿って相手側コネクタと嵌合可能なコネクタであって、
前記コネクタは、少なくとも一つのコンタクトと、前記コンタクトを保持する保持部材とを備えており、
前記コンタクトは、第１支持部と、第２支持部と、第１接点部と、第２接点部と、連結部とを有しており、
前記第１支持部及び前記第２支持部の夫々は、弾性変形可能であり、
前記第１接点部は、前記第１支持部に支持されており、
前記第２接点部は、前記第２支持部に支持されており、
前記第１接点部及び前記第２接点部の夫々は、前記前後方向と直交する上下方向に移動可能であり、
前記第１支持部は、前記前後方向及び前記上下方向の双方と直交する幅方向において第１縁部と第２縁部とを有しており、
前記第１縁部は、前記幅方向において第１方位に向いており、
前記第２縁部は、前記幅方向において第２方位に向いており、
前記第１方位及び前記第２方位は、互いに逆方位であり、
前記連結部は、前記第１支持部と前記第２支持部とを互いに連結しており、
前記連結部は、上側主部と、上側曲げ部とを有しており、
前記上側主部は、上側前方幅広部と、上側前方幅狭部と、上側基部とを有しており、
前記上側前方幅広部は、前記幅方向において移動できないように前記保持部材に固定されており、
前記第１支持部は、前記上側前方幅広部から前記前後方向において前方に延びており、
前記上側前方幅狭部は、前記前後方向において、前記上側前方幅広部と前記上側基部との間に位置しており、
前記上側前方幅狭部の前記第１方位に向いている縁は、前記第１支持部の前記第１縁部と前記上側前方幅広部との境界部分よりも前記第２方位側に位置しており、
前記上側曲げ部は、前記上側基部の前記第１方位に向いている縁から延びて曲がっている
コネクタを提供する。
【０００７】
また、本発明は、第２のコネクタとして、第１のコネクタであって、
前記第１支持部は、前記上下方向よりも前記幅方向において大きなサイズを有しており、
前記上側主部は平板状の形状を有しており、
前記上側主部の前記上側前方幅広部は、前記幅方向に突出した圧入突起を有しており、
前記上側前方幅広部の前記第１方位側の端部は、前記上側曲げ部よりも前記第１方位側に位置している
コネクタを提供する。
【０００８】
また、本発明は、第３のコネクタとして、第１又は第２のコネクタであって、
前記コンタクトは、上側後方幅広部と、上側後方幅狭部とを更に有しており、
前記上側後方幅広部は、前記前後方向において前記上側後方幅狭部の後方に位置しており、
前記上側後方幅広部は、前記幅方向において移動できないように前記保持部材に固定されており、
前記上側後方幅狭部は、前記前後方向において、前記上側基部と前記上側後方幅広部との間に位置しており、
前記上側後方幅狭部は、前記幅方向において前記上側後方幅広部よりも小さいサイズを有している
コネクタを提供する。
【０００９】
また、本発明は、第４のコネクタとして、第３のコネクタであって、
前記上側後方幅広部の前記第１方位側の端部は、前記上側曲げ部よりも第１方位側に位置している
コネクタを提供する。
【００１０】
また、本発明は、第５のコネクタとして、第１から第４までのいずれかのコネクタであって、
前記上側主部の前記第２方位に向いている縁は直線状である
コネクタを提供する。
【００１１】
また、本発明は、第６のコネクタとして、第１から第５までのいずれかのコネクタであって、
前記第２支持部は、前記上下方向よりも前記幅方向において大きなサイズを有しており、
前記第２支持部は、前記上下方向において前記第１支持部の下側に位置しており、
前記連結部は、下側主部と、下側曲げ部とを更に有しており、
前記下側主部は、下側前方幅広部と、下側前方幅狭部と、下側基部とを有しており、
前記第２支持部は、前記下側前方幅広部から前後方向において前方に延びており、
前記下側前方幅狭部は、前記前後方向において、前記下側前方幅広部と前記下側基部との間に位置しており、
前記下側前方幅狭部は、前記幅方向において前記下側前方幅広部よりも小さいサイズを有しており、
前記下側前方幅狭部の前記第１方位に向いている縁は、前記第２支持部の前記第１方位に向いている縁と前記下側前方幅広部との境界部分よりも前記第２方位側に位置しており、
前記下側曲げ部は、前記下側基部の前記第１方位に向いている縁から延びて曲がっている
コネクタを提供する。
【００１２】
また、本発明は、第７のコネクタとして、第６までのいずれかのコネクタであって、
前記連結部は、前記上側曲げ部と前記下側曲げ部とを連結する平板状の壁部を有しており、
前記壁部は、前記幅方向と交差している
コネクタを提供する。
【００１３】
また、本発明は、第８のコネクタとして、第１から第５までのいずれかのコネクタであって、
前記第２支持部は、前記上下方向よりも前記幅方向において小さなサイズを有している
コネクタを提供する。  
【発明の効果】
【００１４】
本発明のコネクタのコンタクトにおいては、前方幅狭部の第１方位に向いている縁は、第１支持部の第１縁部と上側前方幅広部との境界部分よりも第２方位側に位置しており、また上側曲げ部は、上側基部の第１方位に向いている縁から延びて曲がっている。これにより、特許文献１のコンタクトと比較して、第１支持部の根元の幅方向のサイズを大きく確保しながらコンタクト全体の幅方向のサイズをより小さくすることができ、コネクタの幅もより抑制することができる。
【図面の簡単な説明】
【００１５】
【図１】本発明の第１の実施の形態によるコネクタを示す上側斜視図である。
【図２】図１のコネクタに含まれるコネクタ本体を示す上側斜視図である。
【図３】図２のコネクタ本体を示す正面図である。
【図４】図３のコネクタ本体をＡ−Ａ線に沿って示す断面図である。
【図５】図３のコネクタ本体をＢ−Ｂ線に沿って示す断面図である。
【図６】図３のコネクタ本体に含まれるコンタクトを示す上側斜視図である。図において、コンタクトの一部を拡大して示してある。
【図７】図６のコンタクトを示す側面図である。
【図８】図６のコンタクトを示す上面図である。
【図９】図６のコンタクトを示す別の側面図である。
【図１０】図６のコンタクトを示す背面図である。
【図１１】図６のコンタクトの変形例を示す上側斜視図である。
【図１２】図１１のコンタクトを示す別の上側斜視図である。
【図１３】図６のコンタクトの別の変形例を示す上面図である。
【図１４】図１３のコンタクトを示す上側斜視図である。
【図１５】本発明の第２の実施の形態によるコネクタに含まれるコネクタ本体を示す上側斜視図である。
【図１６】図１５のコネクタ本体を示す正面図である。
【図１７】図１６のコネクタ本体をＣ−Ｃ線に沿って示す断面図である。
【図１８】図１６のコネクタ本体をＤ−Ｄ線に沿って示す断面図である。
【図１９】図１６のコネクタ本体に含まれるコンタクトを示す上側斜視図である。
【図２０】図１９のコンタクト示す側面図である。
【図２１】図１９のコンタクトを示す上面図である
【図２２】図１９のコンタクトを示す別の側面図である。
【図２３】図１９のコンタクトを示す正面図である。
【図２４】図１９のコンタクトの変形例を示す上面図である。
【図２５】図１９のコンタクトの別の変形例を示す上面図である。
【図２６】本発明の実施の形態による相手側コネクタを示す断面図である。
【図２７】特許文献１のコネクタを示す断面図である。
【図２８】図２７のコネクタに含まれるコンタクトを示す上側斜視図である。
【図２９】図２８のコンタクトを示す別の上側斜視図である。
【発明を実施するための形態】
【００１６】
（第１の実施の形態）
図１、図５及び図２６に示されるように、本発明の第１の実施の形態によるコネクタ１００は、前後方向に沿って相手側コネクタ８００と嵌合可能なものである。本実施の形態において、前後方向はＸ方向である。前方は＋Ｘ方向であり、後方は−Ｘ方向である。
【００１７】
図２６から理解されるように、本発明の本実施の形態の相手側コネクタ８００は、複数の相手側上側コンタクト８１０と、複数の相手側下側コンタクト８２０と、相手側保持部材８３０と、相手側シェル８４０とを有している。相手側保持部材８３０は、平板部８０５を有しており、相手側上側コンタクト８１０と相手側下側コンタクト８２０とを保持している。相手側上側コンタクト８１０は、平板部８０５の上面上に設けられており、後端から上方に上側被固定部８１５を有している。相手側下側コンタクト８２０は、平板部８０５の下面上に設けられており、後端から下方に延びる下側被固定部８２５を有している。上側被固定部８１５及び下側被固定部８２５は、基板（図示せず）等に固定される部位である。本実施の形態において、上下方向はＺ方向である。上方は、＋Ｚ方向であり、下方は−Ｚ方向である。相手側シェル８４０は、相手側保持部材８３０を部分的に覆っており、相手側嵌合部８４２を構成している。
【００１８】
図１及び図２に示されるように、本実施の形態によるコネクタ１００は、前後方向において前方に位置するコネクタ本体１１０を備えている。
【００１９】
図２から図５までに示されるように、コネクタ本体１１０は、開口部１５０と、絶縁体からなる保持部材７００と、導電体からなる複数のコンタクト２００と、金属製のシェル７５０とを備えている。シェル７５０は保持部材７００を部分的に覆っており、シェル７５０の前端は嵌合部７５２を構成している。
【００２０】
図２から図５までに示されるように、本実施の形態の開口部１５０は、コネクタ本体１１０の前後方向における前方において開口している。
【００２１】
図４及び図５に示されるように、本実施の形態の保持部材７００は、受容部７１０と、複数のコンタクト保持部７２０とを有している。受容部７１０は、コネクタ１００と相手側コネクタ８００とが嵌合した際に相手側コネクタ８００の平板部８０５を受容するものであり、前後方向において開口部１５０から後方に離れた後壁７１５を有している。詳しくは、図２、図５及び図２６から理解されるように、コネクタ１００が相手側コネクタ８００と嵌合するとき、嵌合部７５２は相手側嵌合部８４２内に受容され、平板部８０５は開口部１５０を通して受容部７１０内に受容される。再び図４及び図５を参照して、コンタクト保持部７２０は、コンタクト２００を夫々保持する部位である。コンタクト保持部７２０は、前後方向において保持部材７００を貫通する孔であり、前後方向及び上下方向の双方と直交する幅方向において対向している２つの内壁を有している。本実施の形態において、幅方向はＹ方向である。
【００２２】
図６から図９までに示されるように、コンタクト２００は、第１支持部３００と、第１接点部３０２と、第２支持部３２０と、第２接点部３２２と、連結部４００と、上側後方幅狭部４１９と、上側後方幅広部４２１と、下側後方幅狭部４７９と、下側後方幅広部４８１と、接続部５００と、被固定部６００とを有している。
【００２３】
図６から図９までに示されるように、第１支持部３００は、傾斜部３０５と、第１平板部３０７と、隆起部３０８とを有している。傾斜部３０５は、第１支持部３００の前後方向における後端に位置しており、前方且つ下方に傾斜している。第１平板部３０７は、上下方向と交差する平板形状を有しており、傾斜部３０５の前端から前方に延びている。隆起部３０８は、第１平板部３０７の前端から前方且つ上方に延びた後、前方且つ下方に延びている。即ち、隆起部３０８の前端は自由端となっている。具体的には、隆起部３０８は、幅方向と直交する平面内において、概略半円弧形状を有している。第１接点部３０２は、隆起部３０８の上端に位置している。
【００２４】
図６から図９までに示されるように、第１支持部３００は、幅方向において第１縁部３０３と第２縁部３０４とを有している。ここで、第１縁部３０３及び第２縁部３０４は、幅方向と直交する面である。また、第１縁部３０３は、幅方向において第１方位に向いており、第２縁部３０４は、幅方向において第２方位に向いている。本実施の形態において、第１方位は＋Ｙ方向であり、第２方位は−Ｙ方向である。即ち、第１方位及び前記第２方位は、互いに逆方位である。
【００２５】
図２、図３、図５及び図６から理解されるように、第１支持部３００は、弾性変形可能となっている。また、第１接点部３０２は、第１支持部３００の隆起部３０８の自由端付近に位置しており、第１支持部３００に支持されている。これにより、第１接点部３０２は、上下方向に移動可能となっている。より具体的には、図６から図１０までに示されるコンタクト２００の第１支持部３００の第１接点部３０２は、上下方向において上方に向いており、下方に移動可能となっている。
【００２６】
図６から図９までに示されるように、第１支持部３００は、上下方向よりも幅方向において大きなサイズを有している。より具体的には、第１支持部３００の第１平板部３０７は、上下方向よりも幅方向において大きなサイズを有している。
【００２７】
図６から図９までに示されるように、第２支持部３２０は、第２平板部３２７と、返し部３２８とを有している。第２平板部３２７は、上下方向と交差する平板形状を有している。折返し部３２８は、第２平板部３２７の前端から前方且つ上方に延びた後、曲面を描くように折り返されており、先端は自由端となっている。即ち、返し部３２８は、幅方向と直交する平面内において、概略Ｕ字形状を有している。第２接点部３２２は、返し部３２８の上端に位置している。
【００２８】
図６から図９までに示されるように、第２支持部３２０は、上下方向よりも幅方向において大きなサイズを有している。より具体的には、第２支持部３２０の第２平板部３２７は、上下方向よりも幅方向において大きなサイズを有している。第２支持部３２０の第２平板部３２７は、上下方向において第１支持部３００の下側に位置している。
【００２９】
図２、図３、図５及び図６から理解されるように、第２支持部３２０は、弾性変形可能となっている。また、第２接点部３２２は、第２支持部３２０の返し部３２８の自由端付近に位置しており、第２支持部３２０に支持されている。これにより、第２接点部３２２は、上下方向に移動可能となっている。より具体的には、図６から図１０までに示されるコンタクト２００の第２支持部３２０の第２接点部３２２は、上下方向において上側に向いており、下方に移動可能となっている。
【００３０】
図６から図９までに示されるように、上下方向において、第２支持部３２０の返し部３２８の自由端は、第１支持部３００の隆起部３０８の自由端の上方に位置している。また、第１支持部３００の隆起部３０８の自由端は、第２支持部３２０の返し部３２８の後方に位置しており、返し部３２８に保護されている。これにより、第１支持部３００の隆起部３０８の自由端に前方から意図しない力が加わって第１支持部３００が座屈してしまうことが避けられている。
【００３１】
図６から図９までに示されるように、連結部４００は、上下方向において第１支持部３００と第２支持部３２０とを互いに連結している。連結部４００は、上側主部４１０と、上側曲げ部４４０と、下側主部４７０と、下側曲げ部４６０と、壁部４５０とを有している。
【００３２】
図６から図９までに示されるように、上側主部４１０は、上下方向と直交する平板形状を有している。上側主部４１０の第２方位に向いている縁４１１は直線状である。上側主部４１０は、上側前方幅広部４１２と、上側前方幅狭部４１５と、上側基部４１７とを有している。
【００３３】
図６から図９までに示されるように、上側前方幅広部４１２の前端は、上側主部４１０の前端を形成しており、幅方向において第１方位に突出した圧入突起４１３を有している。図４及び図６から理解されるように、上側前方幅広部４１２は、幅方向において移動できないように保持部材７００に固定されている。具体的な固定方法については後述する。上側前方幅広部４１２において、圧入突起４１３の幅方向における先端は、第１方位側の端部４１４となっている。
【００３４】
図６から図９までに示されるように、第１支持部３００は、上側前方幅広部４１２から前後方向において前方に延びている。より具体的には、第１支持部３００の傾斜部３０５は、上側前方幅広部４１２の前端から前方且つ下方に延びている。
【００３５】
図６から図９までに示されるように、上側前方幅狭部４１５は、前後方向において、上側前方幅広部４１２と上側基部４１７との間に位置している。より具体的には、上側前方幅狭部４１５は、前後方向において、上側前方幅広部４１２の後方に位置しているとともに、上側基部４１７の前方に位置している。上側前方幅狭部４１５は、幅方向において上側前方幅広部４１２よりも小さいサイズを有している。しかしながら、前述のように上側前方幅広部４１２が保持部材７００に対して固定されるため、第１支持部３００が上下方向に弾性変形する際の応力は、第１支持部３００の第１縁部３０３と上側前方幅広部４１２との境界部分３０６に集中することとなり、幅方向のサイズが小さい上側前方幅狭部４１５に対して応力が集中することを避けることができる。
【００３６】
図６及び図８に示されるように、上側前方幅狭部４１５の第１方位に向いている縁４１６は、境界部分３０６よりも第２方位側に位置している。これにより、第１支持部３００の根元の幅方向のサイズを大きく確保しながらコンタクト２００全体の幅方向のサイズをより小さくすることができる。
【００３７】
図６から図９までに示されるように、上側基部４１７は、前後方向において上側前方幅狭部４１５の後方に位置しており、上下方向と直交する平板形状を有している。また上側基部４１７は、第１方位に向いている縁４１８を有している。
【００３８】
図６及び図８までに示されるように、上側曲げ部４４０は、上側主部４１０の上側基部４１７の第１方位に向いている縁４１８から延びて曲がっている。具体的には、上側曲げ部４４０は、上側基部４１７の第１方位に向いている縁４１８から第１方位側に延びつつ、下方に曲がっている。上側前方幅広部４１２の第１方位側の端部４１４（即ち、圧入突起４１３の幅方向における先端）は、上側曲げ部４４０よりも第１方位側に位置している。より具体的には、上側前方幅広部４１２の圧入突起４１３の端部４１４は、上側曲げ部４４０の第１方位に向いている縁４４２よりも第１方位側に位置している。
【００３９】
図６、図７及び図９に示されるように、下側主部４７０は、下側前方幅広部４７２と、下側前方幅狭部４７５と、下側基部４７７とを有している。
【００４０】
図６、図７及び図９に示されるように、下側主部４７０は、上下方向と直交する平板形状を有している。下側主部４７０の第２方位に向いている縁４７１は直線状である。
【００４１】
図６、図８及び図９に示されるように、下側前方幅広部４７２は、幅方向において第１方位に突出した圧入突起４７３を有している。図５から理解されるように、下側前方幅広部４７２は、幅方向において移動できないように保持部材７００に固定されている。具体的な固定方法については後述する。下側前方幅広部４７２において、圧入突起４７３の幅方向における先端は、第１方位側の端部４７４となっている。
【００４２】
図７に示されるように、第２支持部３２０は、下側前方幅広部４７２から前後方向において前方に延びている。より具体的には、第２支持部３２０の第２平板部３２７は下側前方幅広部４７２の前端から前方に延びている。
【００４３】
図７に示されるように、下側前方幅狭部４７５は、前後方向において、下側前方幅広部４７２と下側基部４７７との間に位置している。より具体的には、下側前方幅狭部４７５は、前後方向において、下側前方幅広部４７２の後方に位置しているとともに、下側基部４７７の前方に位置している。下側前方幅狭部４７５は、幅方向において下側前方幅広部４７２よりも小さいサイズを有している。図６、図７及び図９から理解されるように、下側前方幅狭部４７５の第１方位に向いている縁４７６は、第２支持部３２０の第１方位に向いている縁３２４と下側前方幅広部４７２との境界部分３２５より第２方位側に位置している。これにより、第２支持部３２０の根元の幅方向のサイズを大きく確保しながらコンタクト２００全体の幅方向のサイズをより小さくすることができる。
【００４４】
図７に示されるように、下側基部４７７は、前後方向において下側前方幅狭部４７５の後方に位置しており、上下方向と直交する平板形状を有している。図６に示されるように、下側基部４７７は、第１方位に向いている縁４７８を有している。
【００４５】
図６及び図９から理解されるように、下側曲げ部４６０は、下側主部４７０の下側基部４７７の第１方位に向いている縁４７８から延びて曲がっている。より具体的には、下側曲げ部４６０は、下側基部４７７の第１方位に向いている縁４７８から第１方位側に延びつつ、上方に曲がっている。下側前方幅広部４７２の第１方位側の端部４７４（即ち、圧入突起４７３の幅方向における先端）は、下側曲げ部４６０よりも第１方位側に位置している。より具体的には、下側前方幅広部４７２の圧入突起４７３の端部４７４は、下側曲げ部４６０の第１方位に向いている縁４６２よりも第１方位側に位置している。
【００４６】
図６、図７、図９及び図１０に示されるように、壁部４５０は、幅方向と直交する平板状の形状を有しており、上側曲げ部４４０と下側曲げ部４６０とを互いに連結している。より具体的には、壁部４５０は、上下方向において上側曲げ部４４０の下端と下側曲げ部４６０の上端とを互いに連結している。なお、本実施の形態の壁部４５０は幅方向と直交しているが、これに限定されるわけではなく、幅方向と交差していればよい。
【００４７】
図６から図９までに示されるように、上側後方幅狭部４１９は、前後方向において、連結部４００の上側主部４１０の上側基部４１７と上側後方幅広部４２１との間に位置している。より具体的には、上側後方幅狭部４１９は、前後方向において、上側基部４１７の後方に位置しているとともに、上側後方幅広部４２１の前方に位置している。上側後方幅狭部４１９は、幅方向において上側後方幅広部４２１よりも小さいサイズを有している。
【００４８】
図６から図９までに示されるように、上側後方幅狭部４１９の第１方位に向いている縁４２０は、第１支持部３００の第１縁部３０３と上側前方幅広部４１２との境界部分３０６よりも第２方位側に位置している。
【００４９】
図６及び図９までに示されるように、上側後方幅広部４２１は、前後方向において上側後方幅狭部４１９の後方に位置している。上側後方幅広部４２１は、幅方向において第１方位に突出した圧入突起４２２を有している。図４及び図６から理解されるように、上側後方幅広部４２１は、幅方向において移動できないように保持部材７００に固定されている。具体的な固定方法については後述する。上側後方幅広部４２１において、圧入突起４２２の幅方向における先端は、第１方位側の端部４２３となっている。上側後方幅広部４２１の第１方位側の端部４２３は、上側曲げ部４４０よりも第１方位側に位置している。より具体的には、上側後方幅広部４２１の圧入突起４２２の端部４２３は、上側曲げ部４４０の第１方位に向いている縁４４２よりも第１方位側に位置している。
【００５０】
図６から図９までに示されるように、本実施の形態のコンタクト２００において、連結部４００の上側主部４１０と、上側後方幅狭部４１９と、上側後方幅広部４２１とは、上下方向と直交する平面において同一平面上に位置している。
【００５１】
図７に示されるように、下側後方幅狭部４７９は、前後方向において、連結部４００の下側主部４７０の下側基部４７７と下側後方幅広部４８１との間に位置している。より具体的には、下側後方幅狭部４７９は、前後方向において、下側基部４７７の後方に位置しているとともに、下側後方幅広部４８１の前方に位置している。下側後方幅狭部４７９は、幅方向において下側後方幅広部４８１よりも小さいサイズを有している。下側後方幅狭部４７９の第１方位に向いている縁４８０は、第２支持部３２０の第１方位を向いている縁３２４と下側前方幅広部４７２との境界部分３２５よりも第２方位側に位置している。
【００５２】
図７に示されるように、下側後方幅広部４８１は、前後方向において下側後方幅狭部４７９の後方に位置している。図６及び図９に示されるように、下側後方幅広部４８１は、幅方向において第１方位に突出した圧入突起４８２を有している。図５から理解されるように、下側後方幅広部４８１は、幅方向において移動できないように保持部材７００に固定されている。具体的な固定方法については後述する。下側後方幅広部４８１において、圧入突起４８２の幅方向における先端は、第１方位側の端部４８３となっている。下側後方幅広部４８１の第１方位側の端部４８３は、下側曲げ部４６０よりも第１方位側に位置している。より具体的には、図６に示されるように、下側後方幅広部４８１の圧入突起４８２の端部４８３は、下側曲げ部４６０の第１方位に向いている縁４６２よりも第１方位側に位置している。
【００５３】
図７に示されるように、本実施の形態のコンタクト２００において、連結部４００の下側主部４７０と、下側後方幅狭部４７９と、下側後方幅広部４８１とは、上下方向と直交する平面において同一平面上に位置している。
【００５４】
図６から図１０までに示されるように、接続部５００は、下側後方幅広部４８１の後端から後方且つ下方に延びている。接続部５００の後端は、被固定部６００の前端と接続されている。被固定部６００は、ケーブル（図示せず）等に接続される部位である。
【００５５】
図２から図５までに示されるように、複数のコンタクト２００は、上下２列に分けられて幅方向に並ぶように保持部材７００に保持されている。より具体的には、本実施の形態のコンタクト２００は、コンタクト保持部７２０に対して、保持部材７００の後端から前方に向けて圧入されている。ここで、図５から理解されるように、上側のコンタクト列のコンタクト２００は、上下を反転してコンタクト保持部７２０に圧入されている。このとき、コンタクト２００の連結部４００の圧入突起４１３，４２２，４７３，４８２は、コンタクト保持部７２０の幅方向に対向している内壁のうちの一方に食い込んでいる。またこのとき、コンタクト２００の上側主部４１０の縁４１１は、コンタクト保持部７２０の幅方向において対向している内壁のうちの残りの一方と接触しているが、前述のように上側主部４１０の縁４１１は直線状であるため、コンタクト２００をコンタクト保持部７２０内において適切に位置決めすることができる。加えてこのとき、コンタクト２００の第２支持部３２０の底面は、保持部材７００と接触していない。
【００５６】
図２から図５及び図２６から理解されるように、本実施の形態のコネクタ１００のコネクタ本体１１０は、相手側コネクタ８００と嵌合した際には、コネクタ本体１１０の上側のコンタクト列のコンタクト２００の第１支持部３００の第１接点部３０２及び第２支持部３２０の第２接点部３２２が、相手側コネクタ８００の相手側上側コンタクト８１０と接触し、コネクタ本体１１０の下側のコンタクト列のコンタクト２００の第１支持部３００の第１接点部３０２及び第２支持部３２０の第２接点部３２２が、相手側下側コンタクト８２０と、夫々接触する。このとき、第１支持部３００の隆起部３０８の自由端と、第２支持部３２０の返し部３２８の自由端とは、接触してはいない。即ち、コネクタ１００と相手側コネクタ８００とが嵌合した際には、上側のコンタクト列のコンタクト２００の第１接点部３０２と第２接点部３２２の双方が、相手側上側コンタクト８１０に対して同時に接触し、下側のコンタクト列のコンタクト２００の第１接点部３０２と第２接点部３２２の双方が、相手側下側コンタクト８２０に対して同時に接触している状態となり、確実かつ安定した接触が確保される。
【００５７】
コンタクト２００の構造は、上述したものには限定されず、例えば、以下のような変形が可能である。
【００５８】
図１１から図１４までを参照すると、第１の実施の形態の変形例によるコンタクト２００Ａ，２００Ｂは、上述した第１の実施の形態によるコンタクト２００（図８参照）と略同一の構成を有している。そのため、図１１から図１４までに示される構成要素のうち、第１の実施の形態と同様の構成要素に対しては同一の参照符号を付すこととする。
【００５９】
図１１及び図１２に示されるように、変形例によるコンタクト２００Ａは、第１の実施の形態のコンタクト２００と異なり、上側前方幅広部４１２の幅方向両側から外側に突出した圧入突起４１３，４３０と、上側後方幅広部４２１の幅方向両側から外側に突出した圧入突起４２２，４３５と、下側前方幅広部４７２から幅方向両側から外側に突出した圧入突起４７３，４８４と、下側後方幅広部４８１から幅方向両側に突出した圧入突起４８２，４８５とを有している。これにより、コンタクト２００Ａの保持部材７００への保持がより強固なものとなる。
【００６０】
図１３及び図１４に示されるように、別の変形例によるコンタクト２００Ｂは、第１の実施の形態のコンタクト２００と異なり、上側前方幅広部４１２から第２方位に突出した圧入突起４３０と、上側後方幅広部４２１から第２方位に突出した圧入突起４３５と、下側前方幅広部４７２から第２方位に突出した圧入突起４８４と、下側後方幅広部４８１から第２方位に突出した圧入突起４８５とを有している。このような場合においても、上側前方幅広部４１２が保持部材７００に対して強固に固定されるため、第１支持部３００が上下方向に弾性変形する際の応力は、第１支持部３００の第２縁部３０４と上側前方幅広部４１２との境界部分に集中することとなり、幅方向のサイズが小さい上側前方幅狭部４１５に対して応力が集中することを避けることができる。なお、本変形例においても、上側前方幅広部４１２の第１方位側の端部４１４Ｂは、上側曲げ部４４０よりも第１方位側に位置しており、上側後方幅広部４２１の第１方位側の端部４２３Ｂは、上側曲げ部４４０よりも第１方位側に位置している。また同様に、下側前方幅広部４７２の第１方位側の端部（図示せず）及び下側後方幅広部４８１の第１方位側の端部（図示せず）も、下側曲げ部４６０よりも第１方位側に位置している。
【００６１】
（第２の実施の形態）
図１、図２及び図１５を参照すると、本発明の第２の実施の形態のコネクタ（図示せず）は、第１の実施の形態のコネクタ１００（図１参照）においてコネクタ本体１１０（図２参照）の代わりにコネクタ本体１１０Ｃを備えたものである。ここで、本実施の形態によるコネクタ本体１１０Ｃは、上述した第１の実施の形態によるコネクタ本体１１０（図２参照）と略同一の構成を有している。そのため、図１５から図１８までに示される構成要素のうち、第１の実施の形態と同様の構成要素に対しては同一の参照符号を付すこととする。
【００６２】
図１５から図１８までに示されるように、コネクタ本体１１０Ｃは、開口部１５０と、保持部材７００Ｃと、複数のコンタクト２００Ｃと、シェル７５０とを備えている。
【００６３】
図１５から図１８までに示されるように、本実施の形態の保持部材７００Ｃは、受容部７１０と、複数のコンタクト保持部７２０Ｃとを有している。受容部７１０は、本実施の形態のコネクタ（図示せず）と相手側コネクタ８００とが嵌合した際に相手側コネクタ８００の平板部８０５を受容するものであり、前後方向において開口部１５０から後方に離れた後壁７１５Ｃを有している。コンタクト保持部７２０Ｃは、コンタクト２００Ｃを夫々保持する部位である。コンタクト保持部７２０Ｃは、前後方向において保持部材７００Ｃを貫通する孔であり、幅方向において対向している２つの内壁を有している。本実施の形態において、前後方向はＸ方向である。前方は＋Ｘ方向であり、後方は−Ｘ方向である。また本実施の形態において、幅方向はＹ方向である。
【００６４】
図１９から図２３までに示されるように、コンタクト２００Ｃは、第１支持部３００Ｃと、第２支持部３２０Ｃと、第１接点部３０２Ｃと、第２接点部３２２Ｃと、連結部４００Ｃと、上側後方幅広部４２１Ｃと、上側後方幅狭部４１９Ｃと、接続部５００Ｃと、被固定部６００Ｃとを有している。
【００６５】
図１９から図２３までに示されるように、第１支持部３００Ｃは、傾斜部３０５Ｃと、第１平板部３０７Ｃと、隆起部３０８Ｃとを有している。傾斜部３０５Ｃは、第１支持部３００Ｃの前後方向における後端に位置しており、前方且つ下方に傾斜している。第１平板部３０７Ｃは、上下方向と交差する平板形状を有しており、傾斜部３０５Ｃの前端から前方且つ上方に延びている。隆起部３０８Ｃは、第１平板部３０７Ｃの前端から前方且つ上方に延びた後、前方且つ下方に延びている。即ち、隆起部３０８Ｃの前端は自由端となっている。即ち、隆起部３０８Ｃは、幅方向と直交する平面内において、概略円弧形状を有している。第１接点部３０２Ｃは、隆起部３０８Ｃの上端に位置している。本実施の形態において、上下方向はＺ方向である。上方は＋Ｚ方向であり、下方は−Ｚ方向である。
【００６６】
図１９から図２２までに示されるように、第１支持部３００Ｃは、幅方向において第１縁部３０３Ｃと第２縁部３０４Ｃとを有している。ここで、第１縁部３０３は、幅方向において第１方位に向いており、第２縁部３０４は、幅方向において第２方位に向いている。本実施の形態において、第１方位は−Ｙ方向であり、第２方位は＋Ｙ方向である。即ち、第１方位及び前記第２方位は、互いに逆方位である。
【００６７】
図１６、図１８及び図１９から理解されるように、第１支持部３００Ｃは、弾性変形可能となっている。第１接点部３０２Ｃは、第１支持部３００Ｃの隆起部３０８Ｃの自由端付近に位置しており、第１支持部３００Ｃに支持されている。これにより、第１接点部３０２Ｃは、前後方向と直交する上下方向に移動可能である。より具体的には、図１９から図２３までに示されるコンタクト２００Ｃの第１支持部３００Ｃの第１接点部３０２Ｃは、上下方向において上方に向いており、下方に移動可能となっている。
【００６８】
図１９から図２３までに示されるように、第１支持部３００Ｃは、上下方向よりも幅方向において大きなサイズを有している。より具体的には、第１支持部３００Ｃの第１平板部３０７Ｃは、上下方向よりも幅方向において大きなサイズを有している。
【００６９】
図１９、図２０及び図２２に示されるように、第２支持部３２０Ｃは、第２平板部３２７Ｃと、返し部３２８Ｃとを有している。第２平板部３２７Ｃは、幅方向と直交する平板形状を有している。返し部３２８Ｃは、第２平板部３２７Ｃの前端から前方且つ上方に延びている。返し部３２８Ｃは、前後方向及び上下方向の双方と斜交する後縁３２９Ｃを有している。即ち、第２支持部３２０Ｃは、幅方向から見た場合に片矢印形状を有している。第２接点部３２２Ｃは、返し部３２８Ｃの上端に位置している。
【００７０】
図１９から図２３までに示されるように、第２支持部３２０Ｃは、上下方向よりも幅方向において小さなサイズを有している。より具体的には、第２支持部３２０Ｃの第２平板部３２７Ｃは、上下方向よりも幅方向において小さなサイズを有している。第２支持部３２０Ｃの第２平板部３２７Ｃは、上下方向において第１支持部３００Ｃの下側に位置している。
【００７１】
図１６、１８及び図１９から理解されるように、第２支持部３２０Ｃは、弾性変形可能となっている。また、第２接点部３２２Ｃは、第２支持部３２０Ｃに支持されている。これにより、第２接点部３２２Ｃは、上下方向に移動可能となっている。より具体的には、図１９から図２３までに示されるコンタクト２００Ｃの第２支持部３２０Ｃの第２接点部３２２Ｃは、上下方向において上側に向いており、下方に移動可能となっている。
【００７２】
図１９から図２２までに示されるように、上下方向において、第２支持部３２０Ｃの返し部３２８Ｃの後縁３２９Ｃの上端は、第１支持部３００Ｃの隆起部３０８Ｃの自由端の上方に位置している。また、第１支持部３００Ｃの隆起部３０８Ｃの自由端は、第２支持部３２０Ｃの返し部３２８Ｃの後縁３２９Ｃの後方に位置しており、後縁３２９Ｃに保護されている。これにより、第１支持部３００Ｃの隆起部３０８Ｃの自由端に前方から意図しない力が加わって第１支持部３００Ｃが座屈してしまうことが避けられている。
【００７３】
図１９、図２０及び図２２に示されるように、連結部４００Ｃは、上下方向において第１支持部３００Ｃと第２支持部３２０Ｃとを互いに連結している。連結部４００Ｃは、上側主部４１０Ｃと、上側曲げ部４４０Ｃと、壁部４５０Ｃと、湾曲部４６５とを有している。
【００７４】
図１９から図２２までに示されるように、上側主部４１０Ｃは、上側前方幅広部４１２Ｃと、上側前方幅狭部４１５Ｃと、上側基部４１７Ｃとを有している。
【００７５】
図１９から図２２までに示されるように、上側主部４１０Ｃは、平板状の形状を有している。上側主部４１０Ｃの第２方位に向いている縁４１１Ｃは直線状である。
【００７６】
図１９から図２１までに示されるように、上側前方幅広部４１２Ｃは、幅方向において第１方位に突出した圧入突起４１３Ｃを有している。図１７に示されるように、上側前方幅広部４１２Ｃは、幅方向において移動できないように保持部材７００Ｃに固定されている。具体的な固定方法については後述する。上側前方幅広部４１２Ｃにおいて、圧入突起４１３Ｃの幅方向における先端は、第１方位側の端部４１４Ｃとなっている。
【００７７】
図１９から図２２までに示されるように、第１支持部３００Ｃは、上側前方幅広部４１２から前後方向において前方に延びている。より具体的には、第１支持部３００Ｃの傾斜部３０５Ｃは、上側前方幅広部４１２Ｃの前端から前方且つ下方に延びている。
【００７８】
図１９から図２２までに示されるように、上側前方幅狭部４１５Ｃは、前後方向において、上側前方幅広部４１２Ｃと上側基部４１７Ｃとの間に位置している。より具体的には、上側前方幅狭部４１５Ｃは、前後方向において、上側前方幅広部４１２Ｃの後方に位置しているとともに、上側基部４１７Ｃの前方に位置している。上側前方幅狭部４１５Ｃは、幅方向において上側前方幅広部４１２Ｃよりも小さいサイズを有している。しかしながら、前述のように上側前方幅広部４１２Ｃが保持部材７００Ｃに対して固定されるため、第１支持部３００Ｃが上下方向に弾性変形する際の応力は、第１支持部３００Ｃの第１縁部３０３Ｃと上側前方幅広部４１２Ｃとの境界部分３０６Ｃに集中することとなり、幅方向のサイズが小さい上側前方幅狭部４１５Ｃに対して応力が集中することを避けることができる。
【００７９】
図２１に示されるように、上側前方幅狭部４１５Ｃの第１方位に向いている縁４１６Ｃは、境界部分３０６Ｃよりも第２方位側に位置している。これにより、第１支持部３００Ｃの根元の幅方向のサイズを大きく確保しながらコンタクト２００Ｃ全体の幅方向のサイズをより小さくすることができる。
【００８０】
図１９から図２２までに示されるように、上側基部４１７Ｃは、前後方向において上側前方幅狭部４１５Ｃの後方に位置しており、上下方向と直交する平板形状を有している。また上側基部４１７Ｃは、第１方位に向いている縁４１８Ｃを有している。ここで、本実施に形態の縁４１８Ｃは、前後方向及び幅方向の双方と斜交している。
【００８１】
図１９から図２１までに示されるように、上側曲げ部４４０Ｃは、上側基部４１７Ｃの第１方位に向いている縁４１８Ｃから延びて曲がっている。具体的には、上側曲げ部４４０Ｃは、上側基部４１７Ｃの第１方位に向いている縁４１８Ｃから第１方位且つ後方に延びつつ、下方に曲がっている。上側前方幅広部４１２Ｃの第１方位側の端部４１４Ｃ（即ち、圧入突起４１３Ｃの幅方向における先端）は、上側曲げ部４４０Ｃよりも第１方位側に位置している。より具体的には、上側前方幅広部４１２Ｃの圧入突起４１３Ｃの端部４１４Ｃは、上側曲げ部４４０Ｃの第１方位に向いている縁４４２Ｃよりも第１方位側に位置している。
【００８２】
図１９及び図２０に示されるように、壁部４５０Ｃは、前後方向及び幅方向の双方と斜交する平板状の形状を有しており、上側曲げ部４４０Ｃの下端から下方に延びている。
【００８３】
図１９から図２２までに示されるように、湾曲部４６５は、壁部４５０Ｃの前端であって下端近傍から、前方且つ第２方位に延びている。第２支持部３２０Ｃは、湾曲部４６５の前端から前方に延びている。
【００８４】
図１９から図２２までに示されるように、上側後方幅狭部４１９Ｃは、前後方向において、連結部４００Ｃの上側主部４１０Ｃの上側基部４１７Ｃと上側後方幅広部４２１Ｃとの間に位置している。より具体的には、上側後方幅狭部４１９Ｃは、前後方向において、上側基部４１７Ｃの後方に位置しているとともに、上側後方幅広部４２１Ｃの前方に位置している。上側後方幅狭部４１９Ｃは、幅方向において上側後方幅広部４２１Ｃよりも小さいサイズを有している。
【００８５】
図２１に示されるように、上側後方幅狭部４１９Ｃの第１方位に向いている縁４２０Ｃは、第１支持部３００Ｃの第１縁部３０３Ｃと上側前方幅広部４１２Ｃとの境界部分３０６Ｃよりも第２方位側に位置している。
【００８６】
図１９から図２２までに示されるように、上側後方幅広部４２１Ｃは、前後方向において上側後方幅狭部４１９Ｃの後方に位置している。上側後方幅広部４２１Ｃは、幅方向において第１方位に突出した圧入突起４２２Ｃを有している。図１７に示されるように、上側後方幅広部４２１Ｃは、幅方向において移動できないように保持部材７００に固定されている。具体的な固定方法については後述する。上側後方幅広部４２１Ｃにおいて、圧入突起４２２Ｃの幅方向における先端は、第１方位側の端部４２３Ｃとなっている。上側後方幅広部４２１Ｃの第１方位側の端部４２３Ｃは、上側曲げ部４４０Ｃよりも第１方位側に位置している。より具体的には、上側後方幅広部４２１Ｃの圧入突起４２２Ｃの端部４２３Ｃは、上側曲げ部４４０Ｃの第１方位に向いている縁４４２Ｃよりも第１方位側に位置している。
【００８７】
図１９から図２２までに示されるように、本実施の形態のコンタクト２００Ｃにおいて、連結部４００Ｃの上側主部４１０Ｃと、上側後方幅狭部４１９Ｃと、上側後方幅広部４２１Ｃとは、上下方向と直交する平面において同一平面上に位置している。
【００８８】
図１９から図２２までに示されるように、接続部５００Ｃは、上側後方幅広部４２１Ｃの後端から後方且つ下方に延びている。接続部５００Ｃの後端は、被固定部６００Ｃの前端と接続されている。被固定部６００Ｃは、ケーブル（図示せず）等に接続される部位である。
【００８９】
図１６から図１８までに示されるように、複数のコンタクト２００Ｃは、上下２列に分けられて幅方向に並ぶように保持部材７００Ｃに保持されている。より具体的には、本実施の形態のコンタクト２００Ｃは、コンタクト保持部７２０Ｃに対して、保持部材７００Ｃの後端から前方に向けて圧入されている。ここで、図１８から理解されるように、上側のコンタクト列のコンタクト２００Ｃは、上下を反転してコンタクト保持部７２０Ｃに圧入されている。このとき、コンタクト２００Ｃの連結部４００Ｃの圧入突起４１３Ｃ，４２２Ｃは、コンタクト保持部７２０Ｃの幅方向に対向している内壁のうちの一方に食い込んでいる。またこのとき、上側主部４１０Ｃの縁４１１Ｃは、コンタクト保持部７２０Ｃの幅方向において対向している内壁のうちの残りの一方と接触しているが、前述のように上側主部４１０Ｃの縁４１１Ｃは直線状であるため、コンタクト２００Ｃをコンタクト保持部７２０Ｃ内において適切に位置決めすることができる。
【００９０】
図１５から図１８及び図２６から理解されるように、本実施の形態のコネクタのコネクタ本体１１０Ｃは、相手側コネクタ８００と嵌合した際には、コネクタ本体１１０Ｃの上側のコンタクト列のコンタクト２００Ｃの第１支持部３００Ｃの第１接点部３０２Ｃ及び第２支持部３２０Ｃの第２接点部３２２Ｃが、相手側コネクタ８００の相手側上側コンタクト８１０と接触し、コネクタ本体１１０Ｃの下側のコンタクト列のコンタクト２００Ｃの第１支持部３００Ｃの第１接点部３０２Ｃ及び第２支持部３２０Ｃの第２接点部３２２Ｃが、相手側下側コンタクト８２０と、夫々接触する。この際、第１支持部３００Ｃの隆起部３０８Ｃの自由端と、第２支持部３２０Ｃの返し部３２８Ｃの後縁３２９Ｃとは、接触してはいない。即ち、コネクタ本体１１０Ｃと相手側コネクタ８００とが嵌合した際には、上側のコンタクト列のコンタクト２００Ｃの第１接点部３０２Ｃと第２接点部３２２Ｃの双方が、相手側上側コンタクト８１０Ｃに対して同時に接触し、下側のコンタクト列のコンタクト２００Ｃの第１接点部３０２Ｃと第２接点部３２２Ｃの双方が、相手側下側コンタクト８２０に対して同時に接触している状態となり、確実かつ安定した接触が確保される。
【００９１】
コンタクト２００Ｃの構造は、上述したものには限定されず、例えば、以下のような変形が可能である。
【００９２】
図２４及び図２５を参照すると、本発明の第２の実施の形態の変形例によるコンタクト２００Ｄ，２００Ｅは、上述した第２の実施の形態によるコンタクト２００Ｃ（図２１参照）と略同一の構成を有している。そのため、図２４及び図２５に示される構成要素のうち、第２の実施の形態と同様の構成要素に対しては同一の参照符号を付すこととする。
【００９３】
図２４に示されるように、変形例によるコンタクト２００Ｄは、第２の実施の形態のコンタクト２００Ｃと異なり、上側前方幅広部４１２Ｃの幅方向両側から外側に突出した圧入突起４１３Ｃ，４３０Ｄと、上側後方幅広部４２１Ｃの幅方向両側から外側に突出した圧入突起４２２Ｃ，４３５Ｄとを有している。これにより、コンタクト２００Ｄの保持部材７００Ｃへの保持がより強固なものとなる。
【００９４】
図２５に示されるように、別の変形例によるコンタクト２００Ｅは、第２の実施の形態のコンタクト２００Ｃと異なり、上側前方幅広部４１２Ｃから第２方位に突出した圧入突起４３０Ｅと、上側後方幅広部４２１Ｃから第２方位に突出した圧入突起４３５Ｅとを有している。このような場合においても、上側前方幅広部４１２Ｃは保持部材７００Ｃに対して強固に固定されることとなるため、第１支持部３００Ｃが上下方向に弾性変形する際の応力は、第１支持部３００Ｃの第２縁部３０４Ｃと上側前方幅広部４１２Ｃとの境界部分に集中することとなり、幅方向のサイズが小さい上側前方幅狭部４１５Ｃに対して応力が集中することを避けることができる。なお、本変形例においても、上側前方幅広部４１２Ｃの第１方位側の端部４１４Ｅ及び上側後方幅広部４２１Ｃの第１方位側の端部４２３Ｅは、上側曲げ部４４０Ｃよりも第１方位側に位置している。
【００９５】
以上、本発明について、複数の実施の形態を掲げて具体的に説明してきたが、本発明はこれに限定されるわけではなく、種々の変形が可能である。
【００９６】
例えば、上述した実施の形態のコネクタ本体１１０，１１０Ｃは、複数のコンタクト２００，２００Ｃを備えているものであるが、本発明はこれに限定されず、少なくとも一つのコンタクト２００，２００Ｃを備えていればよい。
【００９７】
また、上述した実施の形態のコンタクト２００，２００Ａ，２００Ｂ，２００Ｃ，２００Ｄ，２００Ｅにおいては、圧入突起が上側前方幅広部４１２，４１２Ｃ以外にも設けられていたが、本発明はこれに限定されない。圧入突起は、少なくとも上側前方幅広部４１２，４１２Ｃに設けられていればよい。
【００９８】
特に、本実施の形態のコンタクト２００，２００Ａ，２００Ｂにおいて、下側前方幅広部４７２は保持部材７００に固定されており、また第２支持部３２０の底面は保持部材７００と接触していなかったが、第２支持部３２０の底面が保持部材７００と接触して受け止められるならば、下側前方幅広部４７２は保持部材７００に固定されていなくてもよい。
【００９９】
加えて、本実施の形態のコンタクト２００，２００Ａ，２００Ｂ，２００Ｃ，２００Ｄ，２００Ｅの上側前方幅広部４１２，４１２Ｃは、保持部材７００，７００Ｃに対して圧入により固定されていたが、本発明はこれに限定されない。上側前方幅広部４１２，４１２Ｃは、幅方向において移動できないように保持部材７００，７００Ｃに固定されていればよく、例えば、インサートモールドにより固定されていてもよい。
【０１００】
本実施の形態のコンタクト２００，２００Ａ，２００Ｂ，２００Ｃ，２００Ｄ，２００Ｅにおいて、上側主部４１０，４１０Ｃと、上側後方幅狭部４１９，４１９Ｃと、上側後方幅広部４２１，４２１Ｃとは、上下方向と直交する平面において同一平面上に位置していたが、同一平面上に位置していなくてもよい。即ち、上側主部４１０，４１０Ｃと、上側後方幅狭部４１９，４１９Ｃとの間に段差を有していてもよいし、上側後方幅狭部４１９，４１９Ｃと上側後方幅広部４２１，４２１Ｃとの間に段差を有していてもよい。
【０１０１】
また、本実施の形態のコンタクト２００，２００Ａ，２００Ｂにおいて、下側主部４７０と、下側後方幅狭部４７９と、下側後方幅広部４８１とは、上下方向と直交する平面において同一平面上に位置していたが、同一平面上に位置していなくてもよい。即ち、下側主部４７０と、下側後方幅狭部４７９との間に段差を有していてもよいし、下側後方幅狭部４７９と下側後方幅広部４８１との間に段差を有していてもよい。
【符号の説明】
【０１０２】
１００                  コネクタ
１１０，１１０Ｃ        コネクタ本体
１５０                  開口部
２００，２００Ａ，２００Ｂ，２００Ｃ，２００Ｄ，２００Ｅ        コンタクト
３００，３００Ｃ        第１支持部
３０２，３０２Ｃ        第１接点部
３０３，３０３Ｃ        第１縁部
３０４，３０４Ｃ        第２縁部
３０５，３０５Ｃ        傾斜部
３０６，３０６Ｃ        境界部分
３０７，３０７Ｃ        第１平板部
３０８，３０８Ｃ        隆起部
３２０，３２０Ｃ        第２支持部
３２２，３２２Ｃ        第２接点部
３２７，３２７Ｃ        第２平板部
３２８，３２８Ｃ        返し部
３２９Ｃ                後縁
３２４                  縁
３２５                  境界部分
４００，４００Ｃ        連結部
４１０，４１０Ｃ        上側主部
４１１，４１１Ｃ        縁
４１２，４１２Ｃ        上側前方幅広部
４１３，４１３Ｃ        圧入突起
４１４，４１４Ｂ，４１４Ｃ，４１４Ｅ        端部
４１５，４１５Ｃ        上側前方幅狭部
４１６，４１６Ｃ        縁
４１７，４１７Ｃ        上側基部
４１８，４１８Ｃ        縁
４１９，４１９Ｃ        上側後方幅狭部
４２０，４２０Ｃ        縁
４２１，４２１Ｃ        上側後方幅広部
４２２，４２２Ｃ        圧入突起
４２３，４２３Ｂ，４２３Ｃ，４２３Ｅ        端部
４３０，４３０Ｄ，４３０Ｅ        圧入突起
４３５，４３５Ｄ，４３５Ｅ        圧入突起
４４０，４４０Ｃ        上側曲げ部
４４２，４４２Ｃ        縁
４５０，４５０Ｃ        壁部
４６０                  下側曲げ部
４６２                  縁
４６５                  湾曲部
４７０                  下側主部
４７１                  縁
４７２                  下側前方幅広部
４７３                  圧入突起
４７４                  端部
４７５                  下側前方幅狭部
４７６                  縁
４７７                  下側基部
４７８                  縁
４７９                  下側後方幅狭部
４８０                  縁
４８１                  下側後方幅広部
４８２                  圧入突起
４８３                  端部
４８４                  圧入突起
４８５                  圧入突起
５００，５００Ｃ        接続部
６００，６００Ｃ        被固定部
７００，７００Ｃ        保持部材
７１０                  受容部
７１５，７１５Ｃ        後壁
７２０，７２０Ｃ        コンタクト保持部
７５０                  シェル
７５２                  嵌合部
８００                  相手側コネクタ
８０５                  平板部
８１０                  相手側上側コンタクト
８１５                  上側被固定部
８２０                  相手側下側コンタクト
８２５                  下側被固定部
８３０                  相手側保持部材
８４０                  相手側シェル
８４２                  相手側嵌合部
【図１】
2018060668.tif 000003
【図２】
2018060668.tif 000004
【図３】
2018060668.tif 000005
【図４】
2018060668.tif 000006
【図５】
2018060668.tif 000007
【図６】
2018060668.tif 000008
【図７】
2018060668.tif 000009
【図８】
2018060668.tif 000010
【図９】
2018060668.tif 000011
【図１０】
2018060668.tif 000012
【図１１】
2018060668.tif 000013
【図１２】
2018060668.tif 000014
【図１３】
2018060668.tif 000015
【図１４】
2018060668.tif 000016
【図１５】
2018060668.tif 000017
【図１６】
2018060668.tif 000018
【図１７】
2018060668.tif 000019
【図１８】
2018060668.tif 000020
【図１９】
2018060668.tif 000021
【図２０】
2018060668.tif 000022
【図２１】
2018060668.tif 000023
【図２２】
2018060668.tif 000024
【図２３】
2018060668.tif 000025
【図２４】
2018060668.tif 000026
【図２５】
2018060668.tif 000027
【図２６】
2018060668.tif 000028
【図２７】
2018060668.tif 000029
【図２８】
2018060668.tif 000030
【図２９】
2018060668.tif 000031